【手続補正書】
【提出日】平成18年6月21日(2006.6.21)
【手続補正１】
【補正対象書類名】特許請求の範囲
【補正対象項目名】全文
【補正方法】変更
【補正の内容】
【特許請求の範囲】
【請求項１】
少なくとも感光体、帯電装置、露光装置及びトナーを備えた画像形成装置において、
該感光体が、直径１０〜４０ｍｍの円筒状に形成されるとともに、ＣｕＫα線によるＸ線回折においてブラッグ角（２θ±０．２）２７．３゜に主要な回折ピークを有するオキシチタニウムフタロシアニンを含有する感光層を有し、
該帯電装置が、直径５〜２０ｍｍの帯電ローラとして構成されるとともに、該帯電ローラが、アスカーＣ型硬度計による測定硬度が２０°〜７０°であって該感光体との接触面を形成する弾性層を有し、且つ、
直流電流と交流電流とを重畳させて印加することにより、該感光体を帯電させるように構成された
ことを特徴とする、画像形成装置。
【請求項２】
該弾性層が、熱可塑性エラストマーを主成分とする
ことを特徴とする、請求項１記載の画像形成装置。
【請求項３】
該弾性層の体積抵抗値が、１×１０-3Ω・ｃｍ〜１×１０13Ω・ｃｍである
ことを特徴とする、請求項１または請求項２に記載の画像形成装置。
【請求項４】
該感光体が、導電性支持体上に電荷発生層および電荷移動層を積層して構成される
ことを特徴とする、請求項１〜３のいずれか１項に記載の画像形成装置。
【請求項５】
該トナーの体積平均粒径（ＤV）が３〜８μｍである
ことを特徴とする、請求項１〜４のいずれか一項に記載の画像形成装置。
【請求項６】
該トナーの体積平均粒径（ＤV）と個数平均粒径（ＤN）との関係が、１．０≦ＤV／ＤN≦１．３である
ことを特徴とする、請求項１〜５のいずれか一項に記載の画像形成装置。
【請求項７】
該トナーの５０％円形度が０．９〜１．０である
ことを特徴とする、請求項１〜６のいずれか１項に記載の画像形成装置。
但し、５０％円形度とは、式（円形度＝粒子投影面積と同じ面積の円の周長／粒子投影像の周長）より求められた値の５０％における累積粒度分布値に相当するものとする。
【請求項８】
該トナーの、フロー式粒子分析装置による粒径０．６〜２．１２μｍの粒子の測定値（個数）が、全粒子個数の１５％以下である
ことを特徴とする、請求項１〜７のいずれか１項に記載の画像形成装置。
【請求項９】
該露光装置が、６００ドット／インチ以上の記録ドット密度でデジタル像露光を行なう
ことを特徴とする、請求項１〜８のいずれか１項に記載の画像形成装置。
【請求項１０】
請求項１〜９のいずれか１項に記載の画像形成装置に用いられる感光体カートリッジであって、
少なくとも該感光体及び該帯電装置を備え、該画像形成装置の本体と着脱可能に構成された
ことを特徴とする、感光体カートリッジ。
【請求項１１】
ＣｕＫα線によるＸ線回折においてブラッグ角（２θ±０．２）２７．３゜に主要な回折ピークを有するオキシチタニウムフタロシアニンを含有する感光層をそなえた、直径１０〜４０ｍｍの円筒状に形成された感光体を使用し、
上記感光体の表面を、アスカーＣ型硬度計による測定硬度が２０°〜７０°であって該感光体との接触面を形成する弾性層を有する、直径５〜２０ｍｍの帯電ローラとして構成された帯電装置を用いて、直流電流と交流電流とを重畳させて印加することにより、接触帯電させ、
該接触帯電させた上記感光体表面に対して、露光装置を用いてデジタル像露光を行ない、
該像露光によって形成された上記感光体上の静電潜像を、体積平均粒径が３〜８μｍであるトナーを用いて現像する
ことを特徴とする、画像形成方法。
【請求項１２】
該像露光における記録ドット密度が、６００ドット／インチ以上である
ことを特徴とする、請求項１１記載の画像形成方法。
【手続補正２】
【補正対象書類名】明細書
【補正対象項目名】発明の名称
【補正方法】変更
【補正の内容】
【発明の名称】画像形成装置、感光体カートリッジおよび画像形成方法
【手続補正３】
【補正対象書類名】明細書
【補正対象項目名】０００１
【補正方法】変更
【補正の内容】
【０００１】
本発明は、画像形成装置、感光体カートリッジおよび画像形成方法に関する。更に詳しくは、プリンターや電子写真複写機やＦＡＸなどに用いて好適な、感光体カートリッジ，画像形成装置および画像形成方法に関する。
【手続補正４】
【補正対象書類名】明細書
【補正対象項目名】００１７
【補正方法】変更
【補正の内容】
【００１７】
本発明は、従来技術における上記課題を解決するためになされたものである。すなわち、本発明の目的は、帯電ローラと感光体との接触状態を均一にして帯電ムラを少なくし、高階調，高解像度の潜像を忠実に再現できるようにするとともに、装置の小型化・高速化にも対応できるようにした画像形成装置、感光体カートリッジおよび画像形成方法を提供することである。
【手続補正５】
【補正対象書類名】明細書
【補正対象項目名】００１９
【補正方法】変更
【補正の内容】
【００１９】
すなわち、本発明の要旨は、感光体、帯電装置、露光装置及びトナーを備えた画像形成装置において、該感光体が、直径１０〜４０ｍｍの円筒状に形成されるとともに、ＣｕＫα線によるＸ線回折においてブラッグ角（２θ±０．２）２７．３゜に主要な回折ピークを有するオキシチタニウムフタロシアニンを含有する感光層を有し、該帯電装置が、直径５〜２０ｍｍの帯電ローラとして構成されるとともに、該帯電ローラが、アスカーＣ型硬度計による測定硬度が２０°〜７０°であって該感光体との接触面を形成する弾性層を有し、且つ、直流電流と交流電流とを重畳させて印加することにより、該感光体を帯電させるように構成されたことを特徴とする、画像形成装置に存する。
【手続補正６】
【補正対象書類名】明細書
【補正対象項目名】００２０
【補正方法】変更
【補正の内容】
【００２０】
また、本発明の別の要旨は、上記の画像形成装置に用いられる感光体カートリッジであって、少なくとも該感光体及び該帯電装置を備え、該画像形成装置の本体と着脱可能に構成されたことを特徴とする、感光体カートリッジに存する。
【手続補正７】
【補正対象書類名】明細書
【補正対象項目名】００２１
【補正方法】変更
【補正の内容】
【００２１】
さらに、本発明の別の要旨は、ＣｕＫα線によるＸ線回折においてブラッグ角（２θ±０．２）２７．３゜に主要な回折ピークを有するオキシチタニウムフタロシアニンを含有する感光層をそなえた、直径１０〜４０ｍｍの円筒状に形成された感光体を使用し、上記感光体の表面を、アスカーＣ型硬度計による測定硬度が２０°〜７０°であって該感光体との接触面を形成する弾性層を有する直径５〜２０ｍｍの帯電ローラとして構成された帯電装置を用いて、直流電流と交流電流とを重畳させて印加することにより、接触帯電させ、該接触帯電させた上記感光体表面に対してデジタル像露光を行ない、該像露光によって形成された上記感光体上の静電潜像を体積平均粒径が３〜８μｍであるトナーを用いて現像することを特徴とする、画像形成方法に存する。
【手続補正８】
【補正対象書類名】明細書
【補正対象項目名】００２２
【補正方法】変更
【補正の内容】
【００２２】
本発明の画像形成装置、感光体カートリッジおよび画像形成方法によれば、特定のオキシチタニウムフタロシアニンを電荷発生材料として用いた感光体と、この感光体との接触面に硬度の低い弾性層を設けた帯電ローラとを組み合わせて使用することにより、帯電ローラと感光体との接触状態が均一となって帯電ムラが少なくなり、高階調，高解像度の潜像を忠実に再現できるとともに、装置の小型化・高速化にも有利に対応できる。